(57)【要約】【課題】本発明は浴室内の一般照明に加え、雰囲気を向上する演出照明を兼ね備えた照明装置を安価に提供することを目的とする。【解決手段】浴室の壁面５または天井面に照明手段４を設置し、照明手段の近傍に透明材料からなる発光部材６を配置し、発光部材６の照明手段に近い端面を受光面６ａとし、受光面と略対向する端面は後方に傾斜する擬似発光面６ｂとすることにより、擬似発光面６ｂが照明手段４とは別の光源が存在するかのように見え、複数の光源による演出照明と同様に浴室内の雰囲気を向上することができる。【選択図】図１
2005237540.tif 000002
【特許請求の範囲】
【請求項１】
浴室の壁面または天井面に照明手段を設置し、照明手段の近傍に透明材料からなる採光部材を配置し、採光部材の照明手段に近い端面を受光面とし、受光面と略対向する端面は後方に傾斜する傾斜面からなる擬似発光面とした浴室の照明装置。
【請求項２】
浴室の壁面または天井面に照明手段を設置し、照明手段の近傍に透明材料からなる採光部材を配置し、採光部材の照明手段に近い端部の裏面を照明手段に略対向して配置し、前記端部の端面は前方に傾斜した傾斜面からなる受光面とし、前記端部と略対向する端面は後方に傾斜する傾斜面からなる擬似発光面を備えた浴室の照明装置。
【請求項３】
照明手段からの光の受光面に対する入射角度と、擬似発光面への反射角度が略等しくなるように反射面の傾斜角度を設定した請求項２に記載の浴室の照明装置。
【請求項４】
擬似発光面は後方に略４５度傾斜させた傾斜面である請求項１〜３のいずれか１項に記載の浴室の照明装置。
【請求項５】
擬似発光面を備えた端部を１個または複数個の曲線形状で構成した請求項１〜４のいずれか１項に記載の浴室の照明装置。
【請求項６】
照明手段の前面に照明手段の少なくとも一部を隠蔽する遮蔽板を配置し、採光部材の受光面を遮蔽板の裏面に配置し、擬似発光面が遮蔽板より突出するように設置した請求項１〜５のいずれか１項に記載の浴室の照明装置。
【発明の詳細な説明】
【技術分野】
【０００１】
本発明は浴室内の演出効果を高める照明装置に関するに関するものである。
【背景技術】
【０００２】
従来、この種の浴室の照明装置は、浴室空間を照明する照明手段と、前記照明手段とは別に演出効果を奏するためにＬＥＤなどの発光装置を備えている（例えば、特開文献１参照）。
【０００３】
図９は、特開文献１に記載された従来の浴室の照明装置を示すものである。図９に示すように、浴室の壁面１に設置した浴室全体を照明する照明ランプ２と、前記照明ランプ２と壁面１との間には、演出効果のある光を発する複数個のＬＥＤ３から構成されている。
【特許文献１】特開２００１−２３４３４号公報
【発明の開示】
【発明が解決しようとする課題】
【０００４】
しかしながら、前記従来の構成では、照明用と演出用の２つ以上の異なるタイプの照明手段を備えることが必要であり、またそれらの制御装置も個別に必要となるので、装置全体が複雑になり、コストが高くなり、また使用時の電気代も高くなるという課題を有していた。
【０００５】
本発明は、前記従来の課題を解決するもので、本発明は浴室内における入浴作業に必要な照明機能に加え、雰囲気を向上する演出効果を兼ね備えた照明装置を安価に提供することを目的とする。
【課題を解決するための手段】
【０００６】
前記従来の課題を解決するために、本発明の浴室の照明装置は、浴室の壁面または天井面に照明手段を設置し、照明手段の近傍に透明材料からなる採光部材を配置し、採光部材の照明手段に近い端面を受光面とし、受光面と略対向する端面は後方に傾斜する傾斜面からなる発光面としたものである。
【０００７】
これによって、照明手段から照射された光の一部は、採光部材の受光面から入射し、採光部材内を透過し、発光面で反射し、採光部材の前面に放射される、このとき採光部材の前面からは発光面が発光しているように見え、あたかも照明手段とは別の光源が存在するように見えるものである。
【発明の効果】
【０００８】
本発明の浴室の照明装置は、発光部材の発光面が、照明手段とは別の光源が存在するかのように見え、複数の光源による演出照明と同様に浴室内の雰囲気を向上することができる。
【発明を実施するための最良の形態】
【０００９】
第１の発明は浴室の壁面または天井面に照明手段を設置し、照明手段の近傍に透明材料からなる採光部材を配置し、採光部材の照明手段に近い端面を受光面とし、受光面と略対向する端面は後方に傾斜する傾斜面からなる擬似発光面とすることにより、照明手段から照射された光の一部は、発光部材の受光面から入射し、採光部材内を透過し、擬似発光面で反射し、採光部材の前面に放射される、このとき採光部材の前面からは擬似発光面が発光しているように見えることとなり照明手段とは別の光源が存在するように見え、複数の照明による演出照明と同様に浴室内の雰囲気を向上することができる。
【００１０】
第２の発明は浴室の壁面または天井面に照明手段を設置し、照明手段の近傍に透明材料からなる採光部材を配置し、発光部材の照明手段に近い端部の裏面を照明手段に略対向して配置し、前記端部の端面は前方に傾斜した傾斜面からなる受光面とし、前記端部と略対向する端面は後方に傾斜する傾斜面からなる擬似発光面を備えることにより、照明手段から照射された光の一部は、採光部材の裏面から入射し、受光面で反射した後、採光部材内を透過し、擬似発光面で再び反射し、採光部材の前面に放射される、このとき採光部材の前面からは擬似発光面が発光しているように見えることとなり採光部材の裏面側に配置した照明手段とは別の光源が存在するように見え、複数の照明による演出照明と同様に浴室内の雰囲気を向上することができる。
【００１１】
第３の発明は、特に第２の発明の採光面を、照明手段からの光の採光面に対する入射角度と、擬似発光面への反射角度が略等しくなるように採光面の傾斜角度を設定することにより、照明手段からの光は採光面で擬似発光面方向に効率的に反射することができ、擬似発光面への光量を多くすることができることとなり擬似発光面をより明るく見せることができる。
【００１２】
第４の発明は、特に、第１〜３のいずれか１つの発明の擬似発光面を後方に略４５度傾斜させた傾斜面とすることにより、擬似発光面で反射した光は効率的にほぼ前方に放射されることとなり擬似発光面をより明るく見せることができる。
【００１３】
第５の発明は、特に、第１〜４のいずれか１つの発明の擬似発光面を備えた端部を１個または複数個の曲線形状で構成することにより、擬似発光面が１個または複数の曲線状に発光したように見えることにより演出効果をより高めることができる。
【００１４】
第６の発明は、特に、だい１〜５のいずれか１つの発明の照明手段の前面に照明手段の少なくとも一部を隠蔽する遮蔽板を配置し、発光部材の受光面を遮蔽板の裏面に配置し、擬似発光面が遮蔽板より突出するように設置することにより、照明手段から直接光が減少し、間接光による照明になるため照明全体が間接光による柔らかい感じになり、擬似発光面の発光がより明るく見え、演出効果をより高めることができる。
【００１５】
以下、本発明の実施の形態について、図面を参照しながら説明する。なお、この実施の
形態によって本発明が限定されるものではない。
【００１６】
（実施の形態１）
図１は本発明の第１の実施の形態における浴室の照明装置を浴室に設置した状態を示す正面図であり、浴室の照明装置を上から見た断面図を示すものである。
【００１７】
図において、防水性能を備えた蛍光灯タイプの照明手段４を浴室の壁面５に縦方向に設置し、透明材料からなる採光部材６を壁面５に設置した複数の固定具７で保持して照明手段４の近傍に設置している。
【００１８】
採光部材６は板状の透明な樹脂製で、照明手段４に近い端面を受光面６ａとし、受光面６ａと略対向する端面を擬似発光面６ｂとし、擬似発光面６ｂは後方に傾斜させた傾斜面としている。
【００１９】
以上のように構成された照明装置について以下その動作、作用を説明する。
【００２０】
まず、照明手段４から発光した光は採光部材６の受光面６ａで受光した後、採光部材６の中を透過して、擬似発光面６ｂで反射し、前方に放射されることにより、前方より見た場合擬似発光面６ｂが発光したように見える擬似発光の作用を発揮させることができ、１個の照明手段により、複数の照明手段による演出照明と同様に浴室内の雰囲気を向上することができる。
【００２１】
（実施の形態２）
図３は本発明の第２の実施の形態における浴室の照明装置の上から見た断面図を示すものである。
【００２２】
図３に示すように、採光部材６の受光面６ａ側の裏面を照明手段４に略対向する位置に固定具７を介して配置し、受光面を前方６ａに傾斜させた傾斜面とし、前記端部と略対向する端面を後方に傾斜させた傾斜面とした擬似発光面６ｂを備えた構成である。
【００２３】
なお、実施の形態１と同符号のものは同一構造とし説明は省略する。
【００２４】
以上のように構成された照明装置について以下その動作・作用を説明する。
【００２５】
まず、照明手段４から発光した光は採光部材６の照明手段４に近い裏面から入射し、前記受光面６ａ出反射し、採光部材６の中を透過し、擬似発光面６ｂで再び反射し、前方に放射されることにより、前方より見た場合擬似発光面６ｂが発光したように見える擬似発光の作用を発揮させることができ、照明手段４を採光部材６の後方に配置した場合でも擬似発光面６ｂを擬似発光させることができ、採光部材６の設置範囲を拡大することができ、演出効果の幅を広げることが可能となる。
【００２６】
（実施の形態３）
図４は本発明の第３の実施の形態における浴室の照明装置の上から見た断面図を示すものである。
【００２７】
図４に示すように、実施の形態２と同様に照明手段４の前方に採光部材６を設置し、採光部材６の採光面６ａに対する照明手段４からの入射角度（図４においてＡで示す角度）と、擬似発光面６ｂへの反射角度（図４においてＢで示す角度）が略等しくなるように採光面６ｂの傾斜角度を設定している。
【００２８】
なお、なお、実施の形態１と同符号のものは同一構造とし説明は省略する。
【００２９】
以上のように構成された照明装置について以下その動作、作用を説明する。
【００３０】
まず、照明手段４から発光した光は採光部材６の照明手段４に近い裏面から入射し、受光面６ａで擬似発光面６ｂに向かって反射し、採光部材６の中を擬似発光面６ｂに向かって透過し、擬似発光面６ｂで再び反射し、前方に放射されることにより、前方より見た場合擬似発光面６ｂが発光したように見える擬似発光の作用を発揮させることができる。
【００３１】
採光面６ａの入射角度と反射角度を略等しくすることにより効率的に反射することができ、入射した光の多くを擬似発光面６ｂに透過する光量を多くすることができるので擬似発光面をより明るく見せることができ、演出効果を高めることが可能となる。
【００３２】
（実施の形態４）
図５は本発明の第４の実施の形態における浴室の照明装置の上から見た断面図を示すものである。
【００３３】
図５に示すように、実施の形態２および３と同様に照明手段４の前方に採光部材６を設置し、採光部材６の擬似発光面６ｂを後方に略４５度傾斜させた構成している。
【００３４】
なお、実施の形態１と同符号のものは同一構造とし説明は省略する。
【００３５】
以上のように構成された照明装置について以下その動作・作用を説明する。
【００３６】
まず、照明装置の照明手段４から発光した光は採光部材６の照明手段４に近い裏面から入射し、受光面で反射し、採光部材６の中を透過し、擬似発光面６ｂ再び反射し、前方に放射されることにより、前方より見た場合擬似発光面６ｂが発光したように見える擬似発光の作用を発揮させることができる。
【００３７】
擬似発光面６ｂを後方に略４５度傾斜させることにより、擬似発光面６ｂで反射した光は効率的にほぼ前方に放射することができので擬似発光面をより明るく見せることができ、演出効果を高めることが可能となる。
【００３８】
（実施の形態５）
図６は本発明の５の実施の形態における浴室の照明装置を浴室に設置した状態を示す正面図である。
【００３９】
図６に示すように、採光部材６の擬似発光面６ｂを構成する端部を曲線形状に形成したものである。
【００４０】
曲線形状に形成することにより擬似発光面６ｂは曲線形状に発光して見えるため、より演出効果を高めることができる。
【００４１】
（実施の形態６）
図７は本発明の第６の実施の形態における浴室の照明装置の浴室に設置した状態を示す正面図であり、図８は浴室の照明装置の上から見た断面図を示すものである。
【００４２】
図に示すように、照明手段４の前方に、照明手段４の一部を隠蔽する遮蔽板７を配置し、採光部材６の採光面６ａを遮蔽板７の裏面に配置し、擬似発光面６ｂ遮蔽板７より突出するように設置した構成としている。
【００４３】
なお、実施の形態１と同符号のものは同一構造とし説明は省略する。
【００４４】
以上のように構成された照明装置について以下その動作・作用を説明する。
【００４５】
まず、照明装置の照明手段４の前面に配置した遮蔽板７により、照明手段４から放射される光の一部は隠蔽されることにより、直射光が減少し柔らかい雰囲気の照明空間が構成される。遮蔽板７の裏面で採光部材６に入射した光は採光面６ａと擬似発光面６ｂで反射し、前方に放射し、他の実施の形態と同様に擬似発光面６ｂが発光したように見える。
【００４６】
本実施の形態においては、照明手段４からの直接光を減少させることにより、照明手段１からの光は間接光となり照明全体が柔らかい感じになり、擬似発光面６ｂの発光がより明るく見え、演出効果をより高めることができる。
【００４７】
実施の形態１〜６においては蛍光灯タイプの照明手段を使用したが、蛍光灯に限るものではなく白熱電球やハロゲン電球やそれ以外の照明手段あるいは複数の種類の照明手段を組み合わせて使用することも可能であり、また、採光部材や遮蔽板の形状も照明手段の形状に合わせた円形やそれ以外の形状で実施することが可能である。
【産業上の利用可能性】
【００４８】
以上のように、本発明にかかる浴室の照明装置は、１つの照明手段で、複数の光源による演出照明と同様に雰囲気を向上することが可能となるので、本発明は住宅や商業施設等における演出照明などの用途にも適用できる。装置に関するなどの用途にも適用できる。
【図面の簡単な説明】
【００４９】
【図１】本発明の実施の形態１における浴室の照明装置を浴室に設置した状態を示す正面図
【図２】本発明の実施の形態１における浴室の照明装置の上から見た断面図
【図３】本発明の実施の形態２における浴室の照明装置の上から見た断面図
【図４】本発明の実施の形態３における浴室の照明装置の上から見た断面図
【図５】本発明の実施の形態４における浴室の照明装置の上から見た断面図
【図６】本発明の実施の形態５における浴室の照明装置を浴室に設置した状態を示す正面図
【図７】本発明の実施の形態６における浴室の照明装置を浴室に設置した状態を示す正面図
【図８】本発明の実施の形態６における浴室の照明装置の上から見た断面図
【図９】従来の浴室の照明装置を示す断面図
【符号の説明】
【００５０】
４  照明手段
５  壁面
６  採光部材
６ａ  受光面
６ｂ  擬似発光面
８  遮蔽板
【図１】
2005237540.tif 000003
【図２】
2005237540.tif 000004
【図３】
2005237540.tif 000005
【図４】
2005237540.tif 000006
【図５】
2005237540.tif 000007
【図６】
2005237540.tif 000008
【図７】
2005237540.tif 000009
【図８】
2005237540.tif 000010
【図９】
2005237540.tif 000011